(57)【特許請求の範囲】
【請求項１】
円筒形状のカーラ本体２の外周に、複数本のリブ１１をカーラ本体長手方向に平行に列設しているヘアーカーラにおいて、
各リブ１１が円周方向に連続状に形成されていることを特徴とするヘアーカーラ。
【請求項２】
各リブ１１の円周方向の少なくとも一部に、その円周方向の他部よりも径方向外方に高い山部１２ａが形成され、この高い山部１２ａがカーラ本体長手方向に並ぶ列状に形成されている請求項１記載のヘアーカーラ。
【請求項３】
高い山部１２ａ列においてカーラ本体長手方向に隣合う高い山部１２ａ・１２ａ間の間隔ｐが、それよりも低い山部１２列のカーラ本体長手方向の山部１２・１２間の間隔Ｐよりも狭く設定されている請求項２記載のヘアーカーラ。
【請求項４】
各リブ１１が円周方向に波状に形成されている請求項１記載のヘアーカーラ。
【発明の詳細な説明】
【０００１】
【発明の属する技術分野】
本発明は、使用前に加熱される加熱式ヘアーカーラやコールドパーマ用ヘアーカーラの改良に関する。
【０００２】
【従来の技術】
例えば、加熱式ヘアーカーラは、一般に、円筒形状のカーラ本体の外周に、巻き始めの髪がカーラ本体長手方向に滑らないようにするため、複数本のリブをカーラ本体長手方向に平行に列設してある（例えば、実開平４−４１３０１号公報）。
【０００３】
【発明が解決しようとする課題】
しかるに、リブ付きの上記ヘアーカーラでは各リブが円周方向に断続的に形成されている。そのため、カーラ本体長手方向に隣合うリブ間に髪を円周方向に整然と巻き付けにくく、リブの断った部分でカーラ本体長手方向に対し交叉状態に乱巻きされ、巻髪に熱が均一に伝わらずに加熱むらが生じやすい。また髪巻き時にリブの断った部分（この表面温度は１０５℃程度）に指が触れると熱くて持ちにくい。髪止めピンを併用するが、この髪止めピンがリブの断った部分の上に位置するときはこの間にはさまれている髪の一部分が局部的に強く押し付けられて、髪止めピンによる押さえ跡が付きやすいなどの問題があった。
【０００４】
本発明の目的は、上記のような問題を解消するためになされたもので、髪を整然と巻き付けることができ、巻髪に熱を均一に加えることができるヘアーカーラを提供するにある。本発明の目的は、持ち易く、かつ髪の巻き付けの容易化を図ることのできるヘアーカーラを提供するにある。本発明の目的は、髪止めピンの押さえ跡を髪に付けることのないヘアーカーラを提供するにある。
【０００５】
【課題を解決するための手段】
本発明のヘアーカーラは、円筒形状のカーラ本体２の外周に、複数本のリブ１１をカーラ本体長手方向に平行に列設する。かかるヘアーカーラにおいて、各リブ１１を円周方向に連続状に形成する。しかるときは、各リブ１１は髪を円周方向に巻き付けるガイド機能を充分に発揮するため、髪を円周方向に整然と巻き付け、巻髪全体に熱を均一に加えることができる。
【０００６】
上記各リブ１１の円周方向の少なくとも一部に、その円周方向の他部よりも径方向外方に高い山部１２ａが形成され、この高い山部１２ａがカーラ本体長手方向に並ぶ列状に形成される。しかるときは、この高い山部１２ａ列で髪の引っかけ作用が得られ、髪を巻き付け易くする。
このリブ１１の高い山部１２ａ列においてカーラ本体長手方向に隣合う高い山部１２ａ・１２ａ間の間隔ｐは、それよりも低い山部１２列のカーラ本体長手方向の山部１２・１２間の間隔Ｐよりも狭く設定する。これにより、上記した髪の引っかけ作用がより確実に得られ、髪をより巻き付け易くする。高い山部１２ａ列は、髪を梳く櫛の替わりに使用すれば、巻き付け前の髪の乱れを良く整えることができる。また、そのまま髪をカーラ本体２に巻き付ければ、髪は高い山部１２ａと連続する他の山部１２や谷部１３に沿って円周方向にガイドされるため、整然と巻き付けることができる。
【０００７】
各リブ１１は円周方向に波状に形成する。これにより髪止めピン１５をその波状の低い箇所に位置させることによりその位置ずれを防止でき、また髪にその押さえ跡を付けるようなことが無くなる。
【０００８】
【発明の実施の形態】
図１は本発明の一実施例を示す加熱式ヘアーカーラの正面図および横断平面図、図２はその加熱式ヘアーカーラと、これを加熱する加熱装置、および髪止めピンの斜視図、図３は加熱式ヘアーカーラの縦断正面図、図４は加熱式ヘアーカーラに髪止めピンを装着した状態の縦断正面図、図５は加熱装置の平面図、図６は加熱装置の結線概念図を示す。
【０００９】
図１ないし図３において、加熱式ヘアーカーラ１のカーラ本体２は耐熱性プラスチックで円筒形状に成形し、これの長手方向一端に凹部３を、他端に差込口４をそれぞれ設けている。その差込口４の内部には正特性サーミスタ等からなる発熱体５と、この発熱体５に商用交流電圧を印加する受電ピン６を備える。凹部３の内底には適温表示体７を付設する。
【００１０】
上記カーラ本体２の外周にはその長手方向両端にフランジ９・１０を形成し、このフランジ９・１０間に複数本のリブ１１をカーラ本体長手方向に所定間隔をおいて一体に突出形成する。各リブ１１は山部１２と谷部１３を円周方向に交互に有する波状に連続して形成される。谷部１３も僅かではあるがカーラ本体２の外周面よりも高く形成する。各リブ１１の山部１２・１２どうしおよび谷部１３・１３どうしはそれぞれカーラ本体長手方向に並ぶ列状に形成する。
このように各リブ１１は山部１２のみならず谷部１３をも含めてカーラ本体２の外周面よりも高くなるように円周方向に連続状に形成すると、巻き付けられる髪は或るリブ１１・１１間で巻き始めた髪が巻き途中で斜めに変向して隣のリブ１１・１１間に巻かれるようなことがなくて、各リブ１１・１１間に円周方向に整然と納まるように巻かれ、カーラ本体２の持つ熱を万遍なく加えることができ、カール仕上げを良好にする。また、髪を巻き付ける時に、たとえ最も低い谷部１３を指で持つようなことがあっても、その谷部１３上の指はカーラ本体２の高温の外周面から浮かせることができるので、熱い感じを与えることなく、持ち易くなる。
【００１１】
また、髪止めピン１５を併用する場合にも有利である。髪止めピン１５はプラスチック成形品で、図２および図４に示すようにつまみ部１６から２本の髪押えピン１７・１７を二股状に延設するとともに、つまみ部１６から髪押えピン１７よりも短いクリップ１９を髪押えピン１７と所定間隔をおいてほぼ平行になるように同一方向に延設される。かくして、この髪止めピン１５は、カーラ本体２に髪を巻いた後、髪押えピン１７・１７が巻髪の上に直交状に位置するようにクリップ１９をカーラ本体２の凹部３内に挿入し、髪押えピン１７・１７の付け根部とクリップ１９の間でカーラ本体２のフランジ９を挟むことにより装着固定される（図４参照）。
【００１２】
このように髪止めピン１５を併用する場合、図４に示すように、髪押えピン１７・１７を各リブ１１の山部１２・１２間の谷部１３の上に位置させることにより、髪止めピン１５がカーラ本体２上で円周方向にずれることのないように装着される。そのように髪押えピン１７・１７が谷部１３の上方に位置させるときも、谷部１３も僅かではあるがカーラ本体２の外周面よりも高く形成してあるので、髪押えピン１７とカーラ本体２の外周面との間に髪の通る空隙２０を確保できる。従って、当該箇所で髪を髪押えピン１７で押さえ過ぎるようなことがなく、髪押えピン１７の押さえ跡が髪に付くのを防ぐことができる。
【００１３】
図４に示すように、髪止めピン１５は髪押えピン１７の付け根部に凹部２１を設け、この凹部２１がフランジ９の縁に係合することによりこれ以上深く差し込むことができず、かつつまみ部１６とフランジ９の縁との間に空隙２２が形成されるようにする。従って、髪を巻き付けるとき、カーラ本体２上からはみ出る髪がつまみ部１６とフランジ９の縁との間にはさまれて不正にくせ付けが加えられるのを前記空隙２２によって防ぐことができる。
【００１４】
図１の（Ｂ）において、各リブ１１の山部１２群のうち少なくとも一つの山部１２ａの高さＨは他の山部１２の高さｈおよびフランジ９・１０の高さよりも高く形成する。この高い山部１２ａ・１２ａどうしもカーラ本体長手方向に並ぶ列状に形成する。
このように構成された高い山部１２ａの列は櫛歯状になるため、巻き始めに髪の先を高い山部１２ａ・１２ａどうし間にかけて通すことにより梳くことができ、また髪の先を引っかけて巻き易くなる。こうした髪の梳き作用や引っかけ作用は高い山部１２ａがリブ１１の円周方向に部分的に存在してはじめて発揮できるのである。これに対し、例えば、その高い山部１２ａがリブ１１の全周にわたって形成されていると、髪が引っかかり過ぎて巻きにくく、また巻き付けた髪からカーラ本体２を外しにくく、折角カールを付与した髪が乱れるおそれがある。
【００１５】
カーラ本体長手方向に隣合う高い山部１２ａ・１２ａ間に更に別の同じ高さの独立した形のリブ１４を設けて、高い山部１２ａ・１２ａ間のピッチｐをそれより低い他の山部１２・１２間のピッチＰよりも小さく設定して高い山部１２ａ・１２ａどうし間の間隔ｐが狭幅になるように形成する。これにより上記髪の梳きおよび引っかけ機能をより顕著に発揮することができる。
【００１６】
高い山部１２ａ・１２ａどうし間の間隔を狭くする手段としては、上記のように高い山部１２ａ・１２ａ間のピッチｐをそれより低い他の山部１２・１２間のピッチよりも小さく設定するに代えて、図７に示すように高い山部１２ａの先端に該山部１２ａの厚みよりも径大な球状頭部２３を付けて、隣合う球状頭部２３・２３どうし間の間隔ｐがそれより低い他の山部１２・１２間のピッチＰよりも狭い幅になるように設定することもできる。
【００１７】
図２、図５および図６に、上記加熱式ヘアーカーラ１を加熱するのに好ましい加熱装置３０を示す。この加熱装置３０は第１加熱台３１と第２加熱台３２を有する。第１加熱台３１は平たい箱形の本体ケース３３を有し、この本体ケース３３の周面一部から電源コード３４を導出してあり、電源コード３４の導出箇所とは別の箇所に直壁状に形成した突き合わせ面３５にコネクター３６が取り付けらる。本体ケース３３の平坦な上面には、上記加熱式ヘアーカーラ１の差込口４が嵌まり込む短管状の給電ソケット３７を複数個、所定間隔をおいて並べて立設している。各給電ソケット３７の上端の中央には加熱式ヘアーカーラ１の受電ピン６が挿入するピン孔３９を有し、該給電ソケット３７の内部には電源コード３４と接続された給電端子４０（図６参照）を備えていて、これに挿入される受電ピン６と電気的に接触するようにしてある。
【００１８】
一方、第２加熱台３２は先の本体ケース３３と殆ど同じ形状の本体ケース４１を有し、この周面の直壁状の突き合わせ面４２にプラグ刃４３を備えている。このプラグ刃４３は本体ケース４１に対し突出使用姿勢と収納姿勢とに切換え自在である。
第２加熱台３２においてもこれの本体ケース４１の平坦な上面に、先の給電ソケット３７と同一形状、同一構造の給電ソケット３７が第１加熱台３１のそれと同数個、同配列状態下で立設してあり、各給電ソケット３７の内部にはプラグ刃４３と接続された給電端子４５を備えている。
【００１９】
第１加熱台３１と第２加熱台３２は、図５のように、使用に際してプラグ刃４３をコネクター３６に差し込むことにより互いに上面どうしが面一になるように突き合わせ面３５・４２どうしを突き合わせて連結する。この連結により第１加熱台３１のコネクター３６は、第２加熱台３２のプラグ刃４３を受け入れて、電源コード３４に電気的に接続する。その際、互いに連結される両加熱台３１・３２の上面に給電ソケット３７が環状に並ぶ状態が得られるが、このとき両加熱台３１・３２の上面中央に給電ソケット３７群で囲まれる空間が、各給電ソケット３７に差し込まれる加熱式ヘアーカーラ１を手でつかむのに充分な広さに形成されるような給電ソケット３７の配列状態に設定している。
第１加熱台３１と第２加熱台３２は連結状態において不用意にぐらつかないように第１加熱台３１の本体ケース３３の突き合わせ面３５の上端側から平面円弧形状の突壁４６を突設する一方、第２加熱台３２の突き合わせ面４２の上端側に該突壁４６が丁度嵌まり込む凹部４７を設けている。
【００２０】
上記構成の第１加熱台３１と第２加熱台３２は各々を単独で、または両者を連結して同時に使用することができる。第１加熱台３１を単独で使用するときは電源コード３４の先端のプラグ４９を壁面のコンセントに差し込み、給電ソケット３７に加熱式ヘアーカーラ１の差込口４を差し込むことにより加熱式ヘアーカーラ１を加熱することができる。第２加熱台３２を単独で使用するときはプラグ刃４３を壁面のコンセントに差し込み、給電ソケット３７にヘアーカーラ１の差込口４を差し込むことによりそれを加熱することができる。
【００２１】
第１加熱台３１と第２加熱台３２を一緒に使用するときは、第１加熱台３１と第２加熱台３２の突き合わせ面３５・４２どうしを突き合わせてコネクター３６にプラグ刃４３を差し込む。そのうえで各加熱台３１・３２の給電ソケット３７に加熱式ヘアーカーラ１の差込口４を差し込むことにより多数のヘアーカーラ１を同時に加熱することができる。その際、電源コード３４はプラグ刃４３とコネクター３６の抜き差し方向と直交する方向に延出するように設定する。これが、例えば、プラグ刃４３とコネクター３６の抜き差し方向と一致する方向に電源コード３４が延出されていると、その抜き差し操作時に、不用意に電源コード３４を持って前記抜き差し操作が行われやすく、これにより電源コード３４の断線事故が発生しやすいが、こうした問題は上記のように電源コード３４はプラグ刃４３とコネクター３６の抜き差し方向と直交する方向に延出するように設定することにより解消できる。
【００２２】
第１加熱台３１と第２加熱台３２の各上面における給電ソケット３７の回りには四葉状の放熱リブ５０を上向きに突設する。しかるときは、加熱式ヘアーカーラ１を給電ソケット３７に差し込むときその下端のフランジ１０を放熱リブ５０の上に載せると、図４に二点鎖線で示すように前記フランジ１０の下端と第１加熱台３１または第２加熱台３２の上面との間に、加熱式ヘアーカーラ１の持つ熱が第１加熱台３１または第２加熱台３２に伝わらないように放熱する空隙５１が差込口４の内部とその外部とを連通する状態に形成される。従って各加熱台３１・３２の本体ケース３３・４１を熱から防護できる。
【００２３】
加熱式ヘアーカーラ１としてはこれの差込口４の内部に、上記発熱体５および受電ピン６に代えて熱伝導性に優れる金属筒及び／又は蓄熱体を内蔵するものを使用することもできる。一方、給電ソケット３７としてはヒータ又は正特性サーミスタなどで加熱される加熱棒を使用し、この加熱棒に前記差込口４を差し込んで加熱式ヘアーカーラ１を加熱するものでもよい。
本発明の対象とするヘアーカーラは上記した加熱式ヘアーカーラ以外に、例えば、髪の巻き付け前後にパーマネント液を付けてカールを行うコールドパーマ用のヘアーカーラなどにも同様に適用できる。
【００２４】
【実施例】
加熱式ヘアーカーラは、具体的には、例えば、図１において、カーラ本体２の長さＬは６７ｍｍ、フランジ９・１０の外径Ｄは２９ｍｍ、カーラ本体２のフランジ９・１０間の外周面の外径ｄは２５ｍｍである。リブ１１・１１どうし間のピッチＰは３．２ｍｍ、高い山部１２ａ・１２ａどうし間のピッチｐは１．６ｍｍである。山部１２は円周方向に等間隔に１２個、そのうち高い山部１２ａは２個を径方向に対向状に設ける。
【００２５】
【発明の効果】
本発明のヘアーカーラによれば、カーラ本体２の外周に円周方向に連続状に形成されるリブ１１によって髪を円周方向に整然と巻き付けることができ、巻髪に熱を均一に加えることができてカール仕上げを良好にする。また、そのリブ１１の円周方向の少なくとも一部に高い山部１２ａを形成することにより髪の巻き付けが容易に行える。更にリブ１１を円周方向に波状に形成することにより髪に髪止めピンの位置ずれを防止でき、髪止めピンの押さえ跡が髪に付くのを防止することもできる。
【図面の簡単な説明】
【図１】（Ａ）はヘアーカーラの正面図、（Ｂ）は横断平面図である。
【図２】ヘアーカーラと、これを加熱する加熱装置、および髪止めピンの斜視図である。
【図３】ヘアーカーラの縦断正面図である。
【図４】ヘアーカーラに髪止めピンを装着した状態の縦断正面図である。
【図５】加熱装置の平面図である。
【図６】加熱装置の結線概念図である。
【図７】他の実施例を示すヘアーカーラの縦断正面図である。
【符号の説明】
２  カーラ本体
１１  リブ
１２  山部
１２ａ  高い山部
１３  谷部
１５  髪止めピン
【図１】
0003590145.tif 000002
【図２】
0003590145.tif 000003
【図３】
0003590145.tif 000004
【図４】
0003590145.tif 000005
【図５】
0003590145.tif 000006
【図６】
0003590145.tif 000007
【図７】
0003590145.tif 000008